(57)【要約】      （修正有）【課題】入金時リサイクル不可紙幣とされた紙幣をリサイクル可能な紙幣として出金しようとしたとき、同じ原因で出金不可と判定される紙幣が大量に発生することを防止する紙幣取引装置を提供する。【解決手段】現金自動取引装置は、紙幣の記番号を読み取ると共に状態を鑑別する鑑別部と、入金取引時に鑑別部で異常と鑑別された紙幣を、正常と鑑別された紙幣とは分別して収納するリジェクト庫と、鑑別部で異常と鑑別された紙幣の記番号をリジェクト紙幣記番号リストとして記憶する記憶部とを設ける。出金取引時に鑑別部で異常と鑑別された紙幣である出金不可紙幣の記番号と、リジェクト紙幣記番号リストに記載された記番号とを照合し、出金不可紙幣の記番号がリジェクト紙幣記番号リストに記載された記番号と一致した場合、当該出金不可紙幣を出金する制御部を設ける。【選択図】図１１
2016004373.tif 000002
【特許請求の範囲】
【請求項１】
紙幣の記番号を読み取ると共に状態を鑑別する鑑別部と、
入金取引時に前記鑑別部で異常と鑑別された紙幣を、正常と鑑別された紙幣とは分別して収納するリジェクト庫と、
前記鑑別部で異常と鑑別された紙幣の記番号をリジェクト紙幣記番号情報として記憶する記憶部と、
出金取引時に前記鑑別部で異常と鑑別された紙幣である出金不可紙幣の記番号と、前記リジェクト紙幣記番号情報の記番号とを照合し、前記出金不可紙幣の記番号が前記リジェクト紙幣記番号情報の記番号と一致した場合、当該出金不可紙幣を出金する制御部と
を有する紙幣取引装置。
【請求項２】
前記制御部は、前記出金不可紙幣の記番号が前記リジェクト紙幣記番号情報の記番号と一致した場合、当該出金不可紙幣は、前記リジェクト庫に収納されていた紙幣が保守員により再度所定のリサイクル庫にセットされた紙幣であると判定し、当該出金不可紙幣を出金する
請求項１に記載の紙幣取引装置。
【請求項３】
前記制御部は、前記リジェクト紙幣記番号情報の記番号のうちの少なくとも１つを削除する
請求項２に記載の紙幣取引装置。
【請求項４】
前記制御部は、所定のリジェクト紙幣記番号情報保管期間の経過後に、前記リジェクト紙幣記番号情報の記番号を削除する
請求項３に記載の紙幣取引装置。
【請求項５】
前記制御部は、前記リジェクト紙幣記番号情報の記番号のうちの少なくとも１つを削除する機能であるリジェクト紙幣記番号情報クリア機能がリジェクト紙幣記番号情報クリア設定において有効に設定されている場合、前記リジェクト紙幣記番号情報の記番号のうちの少なくとも１つを削除する
請求項３に記載の紙幣取引装置。
【請求項６】
前記リジェクト紙幣記番号情報保管期間の設定を保守員から受け付ける入力部
をさらに有する請求項４に記載の紙幣取引装置。
【請求項７】
前記リジェクト紙幣記番号情報クリア設定を保守員から受け付ける入力部
をさらに有する請求項５に記載の紙幣取引装置。
【請求項８】
前記制御部は、前記リジェクト紙幣記番号情報保管期間の経過後であって、保守員による精査完了後に、前記リジェクト紙幣記番号情報を削除する
請求項４に記載の紙幣取引装置。
【請求項９】
前記制御部は、出金不可紙幣の記番号が前記リジェクト紙幣記番号情報の記番号と一致した場合に当該紙幣を出金する機能であるリジェクト紙幣出金機能がリジェクト紙幣出金可否設定において有効に設定されている場合、前記出金不可紙幣の記番号が前記リジェクト紙幣記番号情報の記番号と一致した場合に当該紙幣を出金する
請求項２に記載の紙幣取引装置。
【請求項１０】
前記リジェクト紙幣出金可否設定を保守員から受け付ける入力部
をさらに有する請求項９に記載の紙幣取引装置。
【請求項１１】
前記制御部は、前記出金不可紙幣の記番号と、偽造券の記番号が記載された記番号ブラックリストとを照合し、前記出金不可紙幣の記番号が前記リジェクト紙幣記番号情報の記番号と一致した際、前記出金不可紙幣の記番号が前記記番号ブラックリストに記載された記番号と一致した場合、当該出金不可紙幣を出金しない
請求項１に記載の紙幣取引装置。
【請求項１２】
前記制御部は、出金すべきでない紙幣の記番号が前記リジェクト紙幣記番号情報に存在した場合、当該記番号を前記リジェクト紙幣記番号情報から削除する
請求項１に記載の紙幣取引装置。
【発明の詳細な説明】
【技術分野】
【０００１】
本発明は紙幣取引装置に関し、例えば紙幣等の媒体を投入して所望の取引を行う現金自動取引装置（ＡＴＭ：Automatic Teller Machine）等に適用して好適なものである。
【背景技術】
【０００２】
従来、金融機関や店舗等で使用される現金自動取引装置等においては、顧客との取引内容に応じて、例えば顧客に紙幣や硬貨等の現金を入金させ、また顧客へ現金を出金する。現金自動取引装置としては、例えば顧客との間で紙幣の授受を行う紙幣入出金部と、投入された紙幣の金種及び真偽を鑑別すると共に紙幣の記番号を識別する鑑別部と、投入された紙幣を一時的に保留する一時保留部と、紙幣を搬送する搬送部と、金種毎に紙幣を格納するリサイクル庫とを有するものがある。
【０００３】
このような現金自動取引装置には、入金取引時において、再利用可能であると鑑別部で鑑別された紙幣はリサイクル庫へ搬送し収納する一方、再利用不可能であると鑑別されたリサイクル不可紙幣はリジェクト庫へ搬送して収納し、出金取引時において、出金可能であると鑑別された紙幣は紙幣入出金部へ搬送し出金する一方、異常であると鑑別された出金不可紙幣は一時保留部へ搬送した後にリジェクト庫へ搬送して収納するものがある（例えば、特許文献１参照）。
【０００４】
また行員は、現金自動取引装置の精査を行う際、リジェクト庫を現金自動取引装置から取り外し、当該リジェクト庫に収納された紙幣を例えば目視により確認し、再利用可能であると判断した紙幣をリサイクル庫へセットする場合がある。
【先行技術文献】
【特許文献】
【０００５】
【特許文献１】特開２０１４−４９０４０号公報
【発明の概要】
【発明が解決しようとする課題】
【０００６】
そのような現金自動取引装置においては、油染み等の部分的な汚れが原因でリサイクル不可紙幣と鑑別されリジェクト庫に収納された紙幣は、比較的綺麗に見えるため、精査の際に行員により再利用可能な紙幣としてリサイクル庫にセットされる可能性がある。
【０００７】
そのような紙幣は、出金取引時において入金取引時と同じ要因で出金不可紙幣と鑑別される可能性が高いため、そのような紙幣が大量にリサイクル庫に再セットされると、出金不可紙幣が大量に発生し、行員の対処が煩雑になってしまっていた。
【０００８】
本発明は以上の点を考慮してなされたもので、機能性を高め得る紙幣取引装置を提案しようとするものである。
【課題を解決するための手段】
【０００９】
かかる課題を解決するため本発明の紙幣取引装置においては、紙幣の記番号を読み取ると共に状態を鑑別する鑑別部と、入金取引時に鑑別部で異常と鑑別された紙幣を、正常と鑑別された紙幣とは分別して収納するリジェクト庫と、鑑別部で異常と鑑別された紙幣の記番号をリジェクト紙幣記番号情報として記憶する記憶部と、出金取引時に鑑別部で異常と鑑別された紙幣である出金不可紙幣の記番号と、リジェクト紙幣記番号情報の記番号とを照合し、出金不可紙幣の記番号がリジェクト紙幣記番号情報の記番号と一致した場合、当該出金不可紙幣を出金する制御部とを設けるようにした。
【００１０】
この紙幣取引装置は、リサイクル不可紙幣と判定した紙幣がリサイクル庫に再セットされ、出金取引時において出金不可紙幣と判定したとしても、当該出金不可紙幣を出金可能紙幣として扱うことにより、出金不可紙幣が大量に発生してしまうことを防止できる。
【発明の効果】
【００１１】
本発明によれば、リサイクル不可紙幣と判定した紙幣がリサイクル庫に再セットされ、出金取引時において出金不可紙幣と判定したとしても、当該出金不可紙幣を出金可能紙幣として扱うことにより、出金不可紙幣が大量に発生してしまうことを防止できる。かくして本発明は、機能性を高め得る紙幣取引装置を実現できる。
【図面の簡単な説明】
【００１２】
【図１】現金自動取引装置の構成を示す斜視図である。
【図２】紙幣入出金機の構成を示す左側面図である。
【図３】紙幣の構成を示す略線図である。
【図４】設定処理手順を示すフローチャートである。
【図５】リジェクト紙幣出金可否設定画面を示す略線図である。
【図６】リジェクト紙幣記番号リストクリア設定画面を示す略線図である。
【図７】入金処理手順を示すフローチャートである。
【図８】入金処理における紙幣の経路を示す略線図である。
【図９】収納処理手順を示すフローチャートである。
【図１０】収納処理における紙幣の経路を示す略線図である。
【図１１】出金処理手順を示すフローチャートである。
【図１２】出金処理における紙幣の経路を示す略線図である。
【図１３】リジェクト紙幣収納処理手順を示すフローチャートである。
【図１４】リジェクト紙幣収納処理における紙幣の経路を示す略線図である。
【発明を実施するための形態】
【００１３】
以下、発明を実施するための形態（以下実施の形態とする）について、図面を用いて説明する。
【００１４】
［１．実施の形態］
［１−１．現金自動取引装置の構成］
図１に外観を示すように、現金自動取引装置１は、箱状の筐体２を中心に構成されており、例えば金融機関等に設置され、顧客との間で入金取引や出金取引等の現金に関する取引を行う。筐体２は、その前側に顧客が対峙した状態で紙幣の投入やタッチパネルによる操作等をしやすい箇所に接客部３が設けられている。
【００１５】
接客部３は、カード入出口４、入出金口５、操作表示部６、テンキー７及びレシート発行口８が設けられており、顧客との間で現金や通帳等を直接やり取りすると共に、取引に関する情報の通知や操作指示の受付を行う。カード入出口４は、キャッシュカード等の各種カードが挿入又は排出される部分である。カード入出口４の奥側には、各種カードに磁気記録された口座番号等の読み取りを行うカード処理部（図示せず）が設けられている。入出金口５は、顧客が入金する紙幣が投入されると共に、顧客へ出金する紙幣が排出される部分である。また入出金口５は、シャッタを駆動することにより開放又は閉塞する。操作表示部６は、取引に際して操作画面を表示するＬＣＤ（Liquid Crystal Display）と、取引の種類の選択、暗証番号や取引金額等を入力するタッチパネルとが一体化されている。テンキー７は、「０」〜「９」の数字等の入力を受け付ける物理的なキーであり、暗証番号や取引金額等の入力操作時に用いられる。レシート発行口８は、取引処理の終了時に取引内容等を印字したレシートを発行する部分である。因みにレシート発行口８の奥側には、レシートに取引内容等を印字するレシート処理部（図示せず）が設けられている。
【００１６】
筐体２内には、現金自動取引装置１全体を統括制御する主制御部９や、紙幣に関する種々の処理を行う紙幣入出金機１０等が設けられている。主制御部９は、図示しないＣＰＵ（Central Processing Unit）を中心に構成されており、ＲＯＭ（Read Only Memory）、ＲＡＭ（Random Access Memory）、ハードディスクドライブやフラッシュメモリ等でなる記憶部３０から所定のプログラムを読み出して実行することにより、各部を制御して入金取引や出金取引等の種々の処理を行う。
【００１７】
以下では、現金自動取引装置１のうち利用者が対峙する側を前側とし、その反対を後側とし、当該前側に対峙した利用者から見て左及び右をそれぞれ左側及び右側とし、さらに上側及び下側を定義して説明する。
【００１８】
［１−２．紙幣入出金機の内部構成］
紙幣入出金機１０は、図２に示すように、制御部１２が各部（紙幣入出金部１６、搬送部２４、鑑別部１８、一時保留部２０、リサイクル庫２６、リジェクト庫２８及び取忘れ庫２２）を統括制御する。
【００１９】
制御部１２は、図示しないＣＰＵを中心に構成されており、ＲＯＭ、ＲＡＭ、ハードディスクドライブやフラッシュメモリ等でなる記憶部１４（図１）から所定のプログラムを読み出して実行することにより、各部を制御して入金取引や出金取引等の種々の処理を行う。記憶部１４は、鑑別部１８が紙幣を鑑別した鑑別結果及び紙幣の記番号の識別結果等を取引情報と合わせて記憶すると共に、後述するリジェクト紙幣記番号リストと、リジェクト紙幣出金機能の有効又は無効の設定と、リジェクト紙幣記番号リストクリア機能の有効又は無効の設定と、リジェクト紙幣記番号リスト保管期間情報とを記憶する。
【００２０】
紙幣入出金機１０の内部には、上側に紙幣入出金部１６、紙幣の金種や真偽を判定する鑑別部１８及び入金紙幣等を一時的に保留する一時保留部２０等が設けられている。
【００２１】
紙幣入出金部１６は、顧客から投入された紙幣を１枚ずつ分離し搬送部２４へ繰り出す。また紙幣入出金部１６は、搬送部２４へ繰り出す紙幣と、入金不可紙幣として紙幣入出金部１６へ戻された紙幣とを分別して保持する。また紙幣入出金部１６は、当該紙幣入出金部１６内部において、搬送部２４へ繰り出す紙幣が存在するか否かを検出する図示しない紙幣検知センサが設けられている。
【００２２】
搬送部２４は、図示しないローラやベルト等により、図中太線で示す搬送路に沿って長方形の紙幣を短手方向に搬送する。搬送部２４は、鑑別部１８を前後方向に挿通させるように紙幣を搬送し、当該鑑別部１８の後側と一時保留部２０及び紙幣入出金部１６とをそれぞれ接続している。また搬送部２４は、鑑別部１８の前側と紙幣入出金部１６、リサイクル庫２６、リジェクト庫２８及び取忘れ庫２２とを接続している。搬送部２４の分岐点には、セレクタ（図示せず）が設けられており、制御部１２の制御に基づき回動することにより、紙幣の搬送先を切り替える。
【００２３】
鑑別部１８は、その内部で紙幣を搬送しながら、光学素子や磁気検出素子等を用いて当該紙幣の金種及び真偽、並びに損傷の程度等（正損）を鑑別し、その鑑別結果を制御部１２へ通知する。また鑑別部１８は、撮像した紙幣の画像データから、図３に示すように紙幣ＢＬ毎に付与されその紙幣の一面に予め印刷された英数字等で構成された紙幣識別情報である記番号ＩＤを読み取り識別する。このとき鑑別部１８は、識別した字を識別結果として制御部１２へ通知する。これに応じて制御部１２は、取得した鑑別結果及び識別結果に基づいて紙幣の搬送先を決定する。
【００２４】
図３に示すように、紙幣ＢＬには、例えば左下に記番号ＩＤが付されている。記番号は、例えばアルファベット等の英語の文字と、０〜９の数字とにより構成されている。この記番号は、紙幣が現金自動取引装置１内部でジャムした場合や、顧客が取り忘れた紙幣を現金自動取引装置１が取り込んだ場合等、紙幣の特定が必要な際に、保存された記番号識別結果から紙幣を特定し、顧客へ証拠情報として提示する際に用いられる。また記番号は、現金自動取引装置１において偽造券が発見された場合、偽造券の記番号と、保存された記番号識別結果及び取引情報を照合し、現金自動取引装置１へ入金された経緯を特定したり、顧客が入金した紙幣の場合、顧客へ証拠情報として提示したりする際に用いられる。さらに記番号は、大量に流通している偽造券があり、それらの偽造券の記番号が特定されている場合、予めそれらの記番号を鑑別部１８に登録し、ある一定数以上の字数が一致した紙幣が入金された場合にその紙幣を偽造券として検出する際にも用いられる。
【００２５】
一時保留部２０は、入金時に顧客が紙幣入出金部１６へ投入した紙幣を一時的に保留し、鑑別部１８で入金可能と鑑別された入金可能紙幣を入金が確定するまで一時的に保留する一方、入金不可と鑑別された入金不可紙幣を紙幣入出金部１６へ排出する。また一時保留部２０は、出金時において鑑別部１８で出金不可能と鑑別された出金不可紙幣を、出金可能な紙幣が出金されるまで一時的に保留し、その後当該出金不可紙幣をリジェクト庫２８へ排出する。
【００２６】
また紙幣入出金機１０の内部には、下側に金種別のリサイクル庫２６と、鑑別部１８において破損した紙幣（いわゆる損券）と鑑別された紙幣、偽造券と判別された紙幣及び５千券や２千券等の還流されない金種の紙幣を格納するリジェクト庫２８と、取引時に顧客が紙幣入出金部１６から取り忘れた紙幣を回収して格納する取忘れ庫２２とが設けられている。リサイクル庫２６、リジェクト庫２８及び取忘れ庫２２は、紙幣入出金機１０に設けられたスロットに着脱自在に構成されている。リサイクル庫２６は、収納排出機構により、搬送部２４から搬送されてきた紙幣を取り込んで収納すると共に、収納されている紙幣を排出して搬送部２４へ供給する。
【００２７】
かかる構成において現金自動取引装置１は、鑑別部１８による紙幣の鑑別結果及び識別結果等をもとに主制御部９及び制御部１２が各部を制御して、紙幣の入金処理及び出金処理等を行う。
【００２８】
［１−３．設定処理］
次に、現金自動取引装置１による設定処理の具体的な処理手順について、図４に示すフローチャートを用いて詳細に説明する。紙幣入出金機１０の制御部１２は、顧客が紙幣を入金する入金取引を行う前に、記憶部１４から設定処理プログラムを読み出して実行することにより設定処理手順ＲＴ１を開始し、ステップＳＰ１へ移る。
【００２９】
ステップＳＰ１において制御部１２は、図５に示すリジェクト紙幣出金可否設定画面ＤＩＰ１を入力部としての操作表示部６に表示させ、行員が可ボタンＢＯＫ１か又は不可ボタンＢＮＧ１の何れかを選択するまで待機する。このリジェクト紙幣出金可否設定画面ＤＩＰ１は、後述するリジェクト紙幣記番号リストに基づく出金であるリジェクト紙幣出金機能を有効とするか又は無効とするかの設定画面であり、リジェクト紙幣記番号リストに基づく出金を許可するか否かを行員に選択するよう促す文章が表示されている。またこのリジェクト紙幣出金可否設定画面ＤＩＰ１には、可ボタンＢＯＫ１と不可ボタンＢＮＧ１とが表示されている。行員は、リジェクト紙幣出金可否設定画面ＤＩＰ１に表示された内容を確認すると、リジェクト紙幣出金機能を有効とする場合は可ボタンＢＯＫ１を、リジェクト紙幣出金機能を無効とする場合は不可ボタンＢＮＧ１を押下する。制御部１２は、可ボタンＢＯＫ１が選択された場合、リジェクト紙幣出金機能を有効に設定する一方、不可ボタンＢＮＧ１が選択された場合、リジェクト紙幣出金機能を無効に設定する。
【００３０】
ステップＳＰ２において制御部１２は、図６に示すリジェクト紙幣記番号リストクリア設定画面ＤＩＰ２を操作表示部６に表示させ、行員が可ボタンＢＯＫ２を選択し且つリジェクト紙幣記番号リスト保管期間設定部ＳＴ２に入力を行うか、又は不可ボタンＢＮＧ２の何れかを選択するまで待機する。このリジェクト紙幣記番号リストクリア設定画面ＤＩＰ２は、リサイクル不可紙幣が発生する度に記番号が追加されていくリジェクト紙幣記番号リストをクリアしリジェクト紙幣記番号リストから記番号を一旦全て削除する機能であるリジェクト紙幣記番号リストクリア機能を有効とするか又は無効とするかの設定画面であり、リジェクト紙幣記番号リストクリア設定部ＳＴ１とリジェクト紙幣記番号リスト保管期間設定部ＳＴ２とが表示されている。リジェクト紙幣記番号リストクリア設定部ＳＴ１には、精査完了後にリジェクト紙幣記番号リストをクリアするか否かを示す文章が表示され、可ボタンＢＯＫ２と不可ボタンＢＮＧ２とが表示されている。リジェクト紙幣記番号リスト保管期間設定部ＳＴ２は、リジェクト紙幣記番号リストの保管期間であるリスト保管期間を設定することを促す文章が表示され、保管開始月日と保管終了月日とを入力可能に構成されている。
【００３１】
行員は、リジェクト紙幣記番号リストクリア設定画面ＤＩＰ２に表示された内容を確認すると、精査完了後にリジェクト紙幣記番号リストをクリアする場合はリジェクト紙幣記番号リストクリア設定部ＳＴ１の可ボタンＢＯＫ２を、精査完了後にリジェクト紙幣記番号リストをクリアせず、記番号をさらにリジェクト紙幣記番号リストに追加させていく場合は不可ボタンＢＮＧ２を押下する。また行員は、可ボタンＢＯＫ１を選択した場合、リジェクト紙幣記番号リスト保管期間設定部ＳＴ２に保管開始月日と保管終了月日とを入力する。この保管開始月日と保管終了月日とは、当該保管開始月日から当該保管終了月日までのリスト保管期間の間だけ、記番号をリジェクト紙幣記番号リストに追加させていくこと、すなわちリジェクト紙幣記番号リストをクリアする除外期間を示している。
【００３２】
制御部１２は、可ボタンＢＯＫ２が選択された場合、リジェクト紙幣記番号リストクリア機能を有効に設定する一方、不可ボタンＢＮＧ２が選択された場合、リジェクト紙幣記番号リストクリア機能を無効に設定する。また制御部１２は、リジェクト紙幣記番号リスト保管期間設定部ＳＴ２に入力された保管開始月日と保管終了月日とを、リジェクト紙幣記番号リスト保管期間情報として設定し、ステップＳＰ３へ移り設定処理手順ＲＴ１を終了する。これにより制御部１２は、リジェクト紙幣記番号リストクリア機能を有効に設定した場合、リジェクト紙幣記番号リスト保管期間情報により示されるリスト保管期間の間はリジェクト紙幣記番号リストをクリアせず、保管終了月日を経過した後に行員により精査が行われリサイクル庫２６が現金自動取引装置１に取り付けられた際に、リジェクト紙幣記番号リストをクリアする。また制御部１２は、リジェクト紙幣記番号リストクリア機能を無効に設定した場合、行員により精査が行われリサイクル庫２６が現金自動取引装置１に取り付けられた際に、リジェクト紙幣記番号リストをクリアしない。
【００３３】
［１−４．入金処理］
次に、現金自動取引装置１による入金処理の具体的な処理手順について、図７に示すフローチャートを用いて詳細に説明する。なお図８、図１０、図１２及び図１４においては、紙幣入出金機１０内部を簡略化して図示している。
【００３４】
紙幣入出金機１０の制御部１２は、顧客が入金取引を行う場合、記憶部１４から入金処理プログラムを読み出して実行することにより図７に示す入金処理手順ＲＴ２を開始し、ステップＳＰ１１へ移る。ステップＳＰ１１において制御部１２は、入出金口５のシャッタを開いて紙幣入出金部１６内へ紙幣を投入させ、当該紙幣を１枚ずつ鑑別部１８へ搬送することにより鑑別させて鑑別結果を取得し、ステップＳＰ１２へ移る。ステップＳＰ１２において制御部１２は、鑑別部１８において紙幣の記番号を識別させて識別結果を取得し、ステップＳＰ１３へ移る。
【００３５】
ステップＳＰ１３において制御部１２は、鑑別結果が正常であるか否かを判定する。ここで肯定結果が得られると、このことは鑑別結果が正常であったため紙幣が入金可能紙幣であることを表し、このとき制御部１２はステップＳＰ１４へ移る。ステップＳＰ１４において制御部１２は、図８に示すようにセレクタ（図示せず）をルートＲ１へ切り替え、紙幣を鑑別部１８から一時保留部２０へ搬送してステップＳＰ１６へ移る。一方ステップＳＰ１３において否定結果が得られると、このことは紙幣が入金不可紙幣であることを表し、このとき制御部１２はステップＳＰ１５へ移る。ステップＳＰ１５において制御部１２は、図８に示すようにセレクタ（図示せず）をルートＲ２へ切り替え、紙幣を鑑別部１８から紙幣入出金部１６へ搬送してステップＳＰ１６へ移る。
【００３６】
ステップＳＰ１６において制御部１２は、一時保留部２０へ搬送した紙幣と紙幣入出金部１６へ搬送した紙幣との記番号の識別結果を記憶部１４に記憶し、ステップＳＰ１７へ移る。ステップＳＰ１７において制御部１２は、紙幣検知センサにより紙幣入出金部１６内に搬送部２４へ繰り出すべき紙幣が存在するか否かを判定する。ここで肯定結果が得られると、このことは投入された紙幣が未だ紙幣入出金部１６に残留していることを表し、このとき制御部１２はステップＳＰ１１へ戻り、紙幣入出金部１６から次の紙幣を搬送部２４へ繰り出す。一方ステップＳＰ１７において否定結果が得られると、このことは投入された全ての紙幣を紙幣入出金部１６から搬送部２４へ繰り出したことを表し、このとき制御部１２はステップＳＰ１８へ移り、入金処理手順ＲＴ２を終了する。
【００３７】
［１−５．収納処理］
次に、現金自動取引装置１による収納処理の具体的な処理手順について、図９に示すフローチャートを用いて詳細に説明する。紙幣入出金機１０の制御部１２は、上述した入金処理の後に収納処理を行う際、記憶部１４から収納処理プログラムを読み出して実行することにより図９に示す収納処理手順ＲＴ３を開始し、ステップＳＰ２１へ移る。ステップＳＰ２１において制御部１２は、入金処理において一時保留部２０に保持した紙幣を鑑別部１８へ搬送することにより鑑別させて鑑別結果を取得し、ステップＳＰ２２へ移る。ステップＳＰ２２において制御部１２は、鑑別部１８において紙幣の記番号を識別させて識別結果を取得し、ステップＳＰ２３へ移る。
【００３８】
ステップＳＰ２３において制御部１２は、鑑別結果が正常であるか否かを判定する。ここで肯定結果が得られると、このことは鑑別結果が正常であったため紙幣がリサイクル可能紙幣であることを表し、このとき制御部１２はステップＳＰ２４へ移る。ステップＳＰ２４において制御部１２は、図１０に示すようにセレクタ（図示せず）をルートＲ３へ切り替え、紙幣を鑑別部１８から各リサイクル庫２６へ搬送してステップＳＰ２６へ移る。一方ステップＳＰ２３において否定結果が得られると、このことは紙幣がリサイクル不可紙幣であることを表し、このとき制御部１２はステップＳＰ２５へ移る。ステップＳＰ２５において制御部１２は、図１０に示すようにセレクタ（図示せず）をルートＲ４へ切り替え、紙幣を鑑別部１８からリジェクト庫２８へ搬送してステップＳＰ２６へ移る。
【００３９】
ステップＳＰ２６において制御部１２は、リサイクル庫２６へ搬送した紙幣とリジェクト庫２８へ搬送した紙幣との記番号の識別結果を記憶部１４に記憶し、ステップＳＰ２７へ移る。
【００４０】
ステップＳＰ２７において制御部１２は、リジェクト庫２８に収納した紙幣の記番号の識別結果を記憶部１４から抜き出してリジェクト紙幣記番号リストに追加して記憶部１４に記憶し収納処理手順ＲＴ３を終了する。このリジェクト紙幣記番号リストは、収納処理においてリジェクト庫２８に収納された紙幣の記番号を検索可能な形でリストとして示している。制御部１２は、後述する出金処理において、出金不可紙幣と判定した紙幣の記番号がリジェクト紙幣記番号リストに記載されている場合、当該出金不可紙幣を出金可能紙幣として扱い、出金すると判断する。
【００４１】
［１−６．出金処理］
次に、現金自動取引装置１による出金処理の具体的な処理手順について、図１１に示すフローチャートを用いて詳細に説明する。紙幣入出金機１０の制御部１２は、顧客が出金取引を行う場合、記憶部１４から出金処理プログラムを読み出して実行することにより図１１に示す出金処理手順ＲＴ４を開始し、ステップＳＰ３１へ移る。ステップＳＰ３１において制御部１２は、顧客により操作表示部６を介して出金取引が選択され出金金額が入力されると、要求金額に応じて必要な金種毎の紙幣枚数を認識し、出金枚数のカウントを開始し、ステップＳＰ３２へ移る。
【００４２】
ステップＳＰ３２において制御部１２は、要求金額に応じた金種毎の紙幣枚数に応じて各リサイクル庫２６から紙幣を繰り出して鑑別部１８へ搬送することにより鑑別させて鑑別結果を取得し、ステップＳＰ３３へ移る。ステップＳＰ３３において制御部１２は、鑑別部１８において紙幣の記番号を識別させて識別結果を取得し、ステップＳＰ３４へ移る。
【００４３】
ステップＳＰ３４において制御部１２は、鑑別結果が正常であるか否かを判定する。ここで肯定結果が得られると、このことは鑑別結果が正常であったため紙幣が出金可能紙幣であることを表し、このとき制御部１２はステップＳＰ３５へ移る。ステップＳＰ３５において制御部１２は、出金枚数のカウントを１だけ増加させ、ステップＳＰ３６へ移る。ステップＳＰ３６において制御部１２は、図１２に示すようにセレクタ（図示せず）をルートＲ５へ切り替え、紙幣を鑑別部１８から紙幣入出金部１６へ搬送してステップＳＰ４１へ移る。
【００４４】
一方ステップＳＰ３４において否定結果が得られると、このことは紙幣が出金不可紙幣であることを表し、このとき制御部１２はステップＳＰ３７へ移る。ステップＳＰ３７において制御部１２は、リジェクト紙幣出金機能が有効に設定されているか否かを判定する。ここで肯定結果が得られると、このことは次の判定に進むことを表し、このとき制御部１２はステップＳＰ３８へ移る。一方ステップＳＰ３７において否定結果が得られると、このことはリジェクト紙幣出金機能が無効に設定されており、このとき制御部１２はステップＳＰ３８をスキップしてステップＳＰ３９へ移る。
【００４５】
ステップＳＰ３８において制御部１２は、取得した紙幣の記番号がリジェクト紙幣記番号リストに記載されているか否かを判定する。ここで肯定結果が得られると、このことは紙幣が出金不可紙幣であると判定されたものの、当該出金不可紙幣は出金可能紙幣として扱い出金することを表し、このとき制御部１２はステップＳＰ３５へ移り、出金枚数のカウントを１だけ増加させステップＳＰ３６へ移り、紙幣を鑑別部１８から紙幣入出金部１６へ搬送する。一方ステップＳＰ３８において否定結果が得られると、このことは紙幣が出金不可紙幣であると判定され、且つリジェクト紙幣記番号リストにも記載されてないため、当該出金不可紙幣は出金しないことを表し、このとき制御部１２はステップＳＰ３９へ移り、出金枚数のカウントを０だけ増加させ（すなわち増加させない）、ステップＳＰ４０へ移る。ステップＳＰ４０において制御部１２は、図１２に示すようにセレクタ（図示せず）をルートＲ６へ切り替え、紙幣を鑑別部１８から一時保留部２０へ搬送してステップＳＰ４１へ移る。
【００４６】
ステップＳＰ４１において制御部１２は、要求金額に応じた紙幣の枚数に出金枚数のカウントが達したか否かを判定する。ここで否定結果が得られると、このことは要求金額に応じた紙幣の枚数分の紙幣を未だ紙幣入出金部１６へ集積させていないことを表し、このとき制御部１２はステップＳＰ３２へ戻り、リサイクル庫２６から次の紙幣を鑑別部１８へ繰り出す。一方ステップＳＰ４１において肯定結果が得られると、このことは要求金額に応じた紙幣の枚数分の紙幣を紙幣入出金部１６へ集積させたことを表し、このとき制御部１２はシャッタを開け、紙幣入出金部１６内に集積されている紙幣を利用者に受け渡すことにより出金し、ステップＳＰ４２へ移る。
【００４７】
ステップＳＰ４２において制御部１２は、紙幣入出金部１６へ搬送した紙幣と一時保留部２０へ搬送した紙幣との紙幣の記番号の識別結果を記憶部１４に記憶し、ステップＳＰ４３へ移り出金処理手順ＲＴ４を終了する。
【００４８】
このように紙幣入出金機１０は、紙幣が出金不可紙幣であると判定された際、当該出金不可紙幣の記番号がリジェクト紙幣記番号リストに記載されていない場合、当該出金不可紙幣は出金しない一方、当該出金不可紙幣の記番号がリジェクト紙幣記番号リストに記載されていた場合、当該出金不可紙幣を出金可能紙幣として扱い出金するようにした。
【００４９】
［１−７．リジェクト紙幣収納処理］
次に、現金自動取引装置１によるリジェクト収納処理の具体的な処理手順について、図１３に示すフローチャートを用いて詳細に説明する。紙幣入出金機１０の制御部１２は、上述した出金処理の後にリジェクト紙幣収納処理を行う際、記憶部１４からリジェクト紙幣収納処理プログラムを読み出して実行することにより図１３に示すリジェクト紙幣収納処理手順ＲＴ５を開始し、ステップＳＰ５１へ移る。ステップＳＰ５１において制御部１２は、出金処理において一時保留部２０に保持した紙幣を鑑別部１８へ搬送することにより鑑別させて鑑別結果を取得し、ステップＳＰ５２へ移る。
【００５０】
ステップＳＰ５２において制御部１２は、鑑別部１８において紙幣の記番号を識別させて識別結果を取得し、ステップＳＰ５３へ移る。ステップＳＰ５３において制御部１２は、鑑別結果が正常であるか否かを判定する。ここで肯定結果が得られると、このことは鑑別結果が正常であったため紙幣がリサイクル可能紙幣であることを表し、このとき制御部１２はステップＳＰ５４へ移る。ステップＳＰ５４において制御部１２は、図１４に示すようにセレクタ（図示せず）をルートＲ７へ切り替え、紙幣を鑑別部１８から各リサイクル庫２６へ搬送してステップＳＰ５６へ移る。一方ステップＳＰ５３において否定結果が得られると、このことは紙幣がリサイクル不可紙幣であることを表し、このとき制御部１２はステップＳＰ５５へ移る。ステップＳＰ５５において制御部１２は、図１４に示すようにセレクタ（図示せず）をルートＲ８へ切り替え、紙幣を鑑別部１８からリジェクト庫２８へ搬送してステップＳＰ５６へ移る。
【００５１】
ステップＳＰ５６において制御部１２は、リサイクル庫２６へ搬送した紙幣とリジェクト庫２８へ搬送した紙幣との記番号の識別結果を記憶部１４に記憶し、ステップＳＰ５７へ移りリジェクト紙幣収納処理手順ＲＴ５を終了する。
【００５２】
［１−８．効果］
以上の構成において、油染み等の部分的な汚れが原因で鑑別部１８においてリサイクル不可紙幣と判定されリジェクト庫２８に収納された紙幣は、保守員としての行員がリサイクル庫２６、リジェクト庫２８及び取忘れ庫２２を紙幣入出金機１０から取り外し精査を行う際に目視により状態を確認されリサイクル可能であると判断されて、出金すべき紙幣としてリサイクル庫２６に再セットされる場合がある。そのような紙幣は、出金取引時において入金取引時と同じ要因で出金不可紙幣と判定される可能性が高いため、従来の現金自動取引装置においては、そのような紙幣が大量にリサイクル庫２６に再セットされると、出金不可紙幣が大量に発生し、行員の対処が煩雑になってしまっていた。
【００５３】
これに対し現金自動取引装置１は、収納処理時においてリサイクル不可紙幣と判定した紙幣の記番号を検索可能に一覧にしたリジェクト紙幣記番号情報としてのリジェクト紙幣記番号リストを作成し、出金処理時において出金不可紙幣と判定した紙幣であっても、リジェクト紙幣記番号リストに記載された記番号と同一の記番号が付された紙幣である場合、出金可能紙幣として扱い出金するようにした。このように現金自動取引装置１は、出金不可紙幣の記番号がリジェクト紙幣記番号リストに記載された記番号と一致した場合、当該出金不可紙幣は、リジェクト庫２８に収納されていた紙幣が行員により再度リサイクル庫２６にセットされた紙幣であると判定し、当該出金不可紙幣を出金するようにした。
【００５４】
これにより現金自動取引装置１は、油染み等の部分的な汚れが原因でリサイクル不可紙幣と判定しリジェクト庫２８に収納した紙幣がリサイクル庫２６に再セットされ、出金取引時において出金不可紙幣と判定したとしても、当該出金不可紙幣を現金自動取引装置１内部に保持せずに出金することができ、出金不可紙幣が大量に発生してしまうことを防止し、出金不可紙幣の枚数を削減することができる。
【００５５】
また現金自動取引装置１は、出金不可紙幣が大量に発生すると、出金取引が成立しなかったり、当該出金不可紙幣を一時保留部２０に回収する時間を多く要してしまい取引時間が長くなり、ホストの監視時間を超えてしまったりしてしまう可能性があった。
【００５６】
これに対し現金自動取引装置１は、出金不可紙幣が大量に発生することを抑えることができるため、出金取引が成立しない可能性を低下させると共に取引時間を短縮することができる。
【００５７】
このようなリジェクト紙幣出金機能は、流通過程において、紙幣が汚れ易かったり、傷み易かったり、意図的に所定のマーク等を付されたりして出金不可紙幣が発生しやすい地域で特に有用である。
【００５８】
さらに現金自動取引装置１は、リジェクト紙幣出金可否設定画面ＤＩＰ１により、リジェクト紙幣出金機能を有効とするか又は無効とするかを行員に選択させるようにした。これにより現金自動取引装置１は、リサイクル不可紙幣をリサイクルするか又はしないかという行員の意思を、設定を変更するだけでファームウェア等の変更を行うことなく簡単に反映できる。またこれにより現金自動取引装置１は、リジェクト紙幣出金機能が無効に設定された場合、リサイクルすべきでない紙幣を誤ってリサイクル庫２６に再セットされ出金してしまうことを防止できる。
【００５９】
さらに現金自動取引装置１は、リジェクト紙幣記番号リストクリア設定画面ＤＩＰ２により、リジェクト紙幣記番号リストクリア機能を有効とするか又は無効を行員に選択させ、リジェクト紙幣記番号リストクリア機能を有効とする場合、リジェクト紙幣記番号リストの保管期間を設定させるようにした。これにより現金自動取引装置１は、リジェクト紙幣記番号リストの膨大化を防ぎデータ量を削減すると共に、検索にかかる時間を短縮することができる。
【００６０】
以上の構成によれば現金自動取引装置１は、紙幣の記番号を読み取ると共に状態を鑑別する鑑別部１８と、入金取引時に鑑別部１８で異常と鑑別された紙幣を、正常と鑑別された紙幣とは分別して収納するリジェクト庫２８と、鑑別部１８で異常と鑑別された紙幣の記番号をリジェクト紙幣記番号リストとして記憶する記憶部１４と、出金取引時に鑑別部１８で異常と鑑別された紙幣である出金不可紙幣の記番号と、リジェクト紙幣記番号リストに記載された記番号とを照合し、出金不可紙幣の記番号がリジェクト紙幣記番号リストに記載された記番号と一致した場合、当該出金不可紙幣を出金する制御部１２とを設けるようにした。これにより現金自動取引装置１は、リサイクル不可紙幣と判定した紙幣がリサイクル庫２６に再セットされ、出金取引時において出金不可紙幣と判定したとしても、当該出金不可紙幣を出金可能紙幣として扱うことにより、出金不可紙幣が大量に発生してしまうことを防止できる。
【００６１】
［２．他の実施の形態］
なお上述した実施の形態においては、出金不可紙幣の記番号がリジェクト紙幣記番号リストに存在する場合、当該出金不可紙幣を出金可能紙幣として扱い出金する場合について述べた。本発明はこれに限らず、出金不可紙幣の記番号が、大量に流通している偽造券の記番号が記載された記番号ブラックリストに記載されているか否かを判定し、出金不可紙幣の記番号がリジェクト紙幣記番号リストに存在したとしても、当該出金不可紙幣の記番号が記番号ブラックリストに存在した場合は、当該出金不可紙幣は出金しないようにしても良い。
【００６２】
また現金自動取引装置１は、偽造券の記番号等、出金取引時に出金すべきでない紙幣の記番号がリジェクト紙幣記番号リストに記載されていた場合、出金すべきでない紙幣の記番号をリジェクト紙幣記番号リストから削除しても良い。
【００６３】
さらに上述した実施の形態においては、リジェクト紙幣記番号リストクリア機能が有効に設定された場合、リジェクト紙幣記番号リストから記番号を全て削除する場合について述べた。本発明はこれに限らず、例えばリジェクト紙幣記番号リストに記憶する記番号の最大個数を予め設定し、記憶した記番号の個数が当該最大個数に達した場合、リジェクト紙幣記番号リストに新たに記番号が追加する際、最も古い記番号から削除しても良い。また、行員がリジェクト紙幣記番号リストから所望の記番号を削除しても良い。
【００６４】
さらに上述した実施の形態においては、リジェクト紙幣記番号リストのリスト保管期間として保管開始月日と保管終了月日とを行員に入力させる場合について述べた。本発明はこれに限らず、リジェクト紙幣記番号リストのリスト保管期間として、例えば１ヶ月等の期間を設定させたり、精査を４回行った場合等の期間を設定させたりしても良い。
【００６５】
さらに上述した実施の形態においては、リジェクト紙幣記番号リストクリア機能が有効に設定された場合、行員により精査が行われリサイクル庫２６が紙幣入出金機１０に取り付けられた際に、リジェクト紙幣記番号リストをクリアする場合について述べた。本発明はこれに限らず、例えば設定されたリスト保管期間の経過後の出金取引終了後等、種々のタイミングでリジェクト紙幣記番号リストをクリアしても良い。
【００６６】
さらに上述した実施の形態においては、設定処理を行うことにより、リジェクト紙幣出金可否設定画面ＤＩＰ１を表示させてリジェクト紙幣出金機能を有効とするか又は無効とするかを行員に選択させ、リジェクト紙幣記番号リストクリア設定画面ＤＩＰ２を表示させてリジェクト紙幣記番号リストクリア機能を有効とするか又は無効を行員に選択させ、リジェクト紙幣記番号リストのリスト保管期間を設定させる場合について述べた。本発明はこれに限らず、設定処理を行わないことにより、常にリジェクト紙幣出金機能を有効としリジェクト紙幣記番号リストクリア機能を例えば無効としても良い。
【００６７】
さらにリジェクト紙幣記番号リストを、現金自動取引装置１のみで記憶するのではなく、当該現金自動取引装置以外の他の現金自動取引装置と共有したり、当該他の現金自動取引装置から取得したりしても良い。
【００６８】
さらに上述した実施の形態においては、記憶部１４に予め記憶させておいた設定処理プログラム、入金処理プログラム、収納処理プログラム、出金処理プログラム及びリジェクト紙幣収納処理プログラムを読み出して実行する場合について述べた。本発明はこれに限らず、例えばＵＳＢ（Universal Serial Bus）等のインタフェースやＩＥＥＥ(Institute of Electrical and Electronics Engineers)８０２．３ａｂ等のネットワーク、或いはＣＤ−ＲＯＭ（Compact Disc-Read Only Memory）等の外部記憶媒体を介して、外部から設定処理プログラム、入金処理プログラム、収納処理プログラム、出金処理プログラム及びリジェクト紙幣収納処理プログラムを取得して実行しても良い。
【００６９】
さらに上述した実施の形態においては、現金を取引する現金自動取引装置１において、媒体としての紙幣の記番号を読み取る場合に本発明を適用する場合について述べた。本発明はこれに限らず、例えば商品券や金券、入場券等のような薄い紙状の媒体に付された固有な識別字を読み取る種々の装置に本発明を適用しても良い。また、例えば紙幣を入出する紙幣入出金機や紙幣を所定枚数毎に施封する施封小束支払機等、紙幣や硬貨の取引に関する種々の処理を行う複数種類の装置の組み合わせにより構成された現金処理装置に本発明を適用してもよい。
【００７０】
さらに上述した実施の形態においては、鑑別部としての鑑別部１８と、リジェクト庫としてのリジェクト庫２８と、記憶部としての記憶部１４と、制御部としての制御部１２とによって、紙幣取引装置としての現金自動取引装置１を構成する場合について述べた。本発明はこれに限らず、その他種々の構成でなる鑑別部と、リジェクト庫と、記憶部と、制御部とによって、紙幣取引装置を構成しても良い。
【産業上の利用可能性】
【００７１】
本発明は、紙幣の記番号を判別し管理する種々の装置でも利用できる。
【符号の説明】
【００７２】
１……現金自動取引装置、２……筐体、３……接客部、４……カード入出口、５……入出金口、６……操作表示部、７……テンキー、８……レシート発行口、９……主制御部、１０……紙幣入出金機、１２……制御部、１４……記憶部、１６……紙幣入出金部、１８……鑑別部、２０……一時保留部、２２……取忘れ庫、２４……搬送部、２６……リサイクル庫、２８……リジェクト庫、３０……記憶部、ＤＩＰ１……リジェクト紙幣出金可否設定画面、ＤＩＰ２……リジェクト紙幣記番号リストクリア設定画面、ＳＴ１……リジェクト紙幣記番号リストクリア設定部、ＳＴ２……リジェクト紙幣記番号リスト保管期間設定部、ＢＯＫ１、ＢＯＫ２……可ボタン、ＢＮＧ１、ＢＮＧ２……不可ボタン。
【図１】
2016004373.tif 000003
【図２】
2016004373.tif 000004
【図３】
2016004373.tif 000005
【図４】
2016004373.tif 000006
【図５】
2016004373.tif 000007
【図６】
2016004373.tif 000008
【図７】
2016004373.tif 000009
【図８】
2016004373.tif 000010
【図９】
2016004373.tif 000011
【図１０】
2016004373.tif 000012
【図１１】
2016004373.tif 000013
【図１２】
2016004373.tif 000014
【図１３】
2016004373.tif 000015
【図１４】
2016004373.tif 000016